(57)【要約】【課題】ズームアップとズームバックのどちらでも人物の皺、肌荒れ、黒子等を目立たなくし、かつ、ズームバックのときは肌色部分の解像度の低下を回避するスキン・ディテール回路を提供する。【解決手段】肌色面積検出回路８は、Ｒ信号、Ｇ信号及びＢ信号から肌色部分を１画素単位又は複数画素単位をカウントし、そのカウント数から肌色面積を検出して、スキンＤＴＬ利得制御部９に対しては肌色面積に関する信号を出力し、ＤＴＬ信号乗算部１０に対しては肌色部分であるか否かの信号を出力する。スキンＤＴＬ利得制御部９は、カウントされた画素数と１画面の画素数との比率を算出する。ＤＴＬ信号乗算部１０は、肌色面積検出回路８からの肌色部分であるか否かの信号及びスキンＤＴＬ利得制御部９からのスキンＤＴＬ利得係数に基づいて輪郭強調信号の利得を制御する。【選択図】図１
2006166337.tif 000002
【特許請求の範囲】
【請求項１】
ズームレンズを通じて取得した光信号を固体撮像素子で光電変換することによって、撮像信号を生成し、肌色補正を伴う輪郭強調信号を前記撮像信号に加算することによって、画面全体のディテール量を変更することなく肌色部分のディテール量だけ減少させるスキン・ディテール回路であって、
前記撮像信号から肌色部分の面積及び肌色部分であるか否かを検出する検出手段と、
画面全体の面積に対する前記肌色部分の面積の比率を算出し、その比率が増大するに従ってスキン・ディテール利得が増大するような設定を行う設定手段と、
前記肌色部分であるか否か及び前記スキン・ディテール利得に基づいて、前記輪郭強調信号の利得を制御する制御手段とを具えることを特徴とするスキン・ディテール回路。
【請求項２】
前記スキン・ディテール利得が、前記比率が増大するに従って直線的又は２次曲線的に増大することを特徴とする請求項１記載のスキン・ディテール回路。
【発明の詳細な説明】
【技術分野】
【０００１】
本発明は、ズームレンズを有するテレビカメラなどにおいて輪郭強調された映像信号を出力するに際し、画面全体のディテール量（輪郭強調の度合い。以後、「ＤＴＬ量」と称する。）を変更することなく肌色部分ＤＴＬ量だけ減少させるスキン・ディテール回路に関する。
【背景技術】
【０００２】
テレビカメラでは、撮像して得られた映像信号に対して、輪郭強調信号を作成し、これらの信号を加算して出力する。これは、解像度を向上させることを目的としており、特に放送用テレビカメラでは周知の技術である。輪郭強調信号は、撮像素子から取得した映像信号に対して、撮像した物の輪郭成分を、微分操作などにより抽出して作成する。
【０００３】
また、スキン・ディテールは、画面全体のＤＴＬ量を変更することなく肌色部分ＤＴＬ量だけ減少させる機能である。これによって、人の顔の皺、黒子等が輪郭信号で強調される事態を回避し、更に滑らかな表現を行うことができる（例えば、特許文献１参照）。
【特許文献１】特許第２５８２７０１号公報
【発明の開示】
【発明が解決しようとする課題】
【０００４】
テレビカメラでは、撮影にズームレンズを使用する。ズームアップのときには、人物の皺、肌荒れ、黒子等が目立つため、スキンＤＴＬ機能は非常に有効であるが、逆にズームバックのときには、映像の肌色部分の解像度が低下し、ぼけた映像になるという不都合が生じる。
【０００５】
本発明の目的は、ズームアップとズームバックのどちらでも人物の皺、肌荒れ、黒子等を目立たなくし、かつ、ズームバックのときは肌色部分の解像度の低下を回避するスキン・ディテール回路を提供することである。
【課題を解決するための手段】
【０００６】
本発明によるスキン・ディテール回路は、
ズームレンズを通じて取得した光信号を固体撮像素子で光電変換することによって、撮像信号を生成し、肌色補正を伴う輪郭強調信号を前記撮像信号に加算することによって、画面全体のディテール量を変更することなく肌色部分のディテール量だけ減少させるスキン・ディテール回路であって、
前記撮像信号から肌色部分の面積及び肌色部分であるか否かを検出する検出手段と、
画面全体の面積に対する前記肌色部分の面積の比率を算出し、その比率が増大するに従ってスキン・ディテール利得が増大するような設定を行う設定手段と、
前記肌色部分であるか否か及び前記スキン・ディテール利得に基づいて、前記輪郭強調信号の利得を制御する制御手段とを具えることを特徴とする。
【発明の効果】
【０００７】
本発明によれば、撮像信号から肌色部分の面積及び肌色部分であるか否かを検出し、画面全体の面積に対する肌色部分の面積の比率を算出し、その比率が増大するに従ってスキン・ディテール利得が増大するようにし、肌色部分であるか否か及びスキン・ディテール利得に基づいて、輪郭強調信号の利得を制御する。
【０００８】
これによって、ズームアップにより肌色部分の面積比率が大きくなるとスキンＤＴＬ利得を大きくして、人物の皺、肌荒れ、黒子等を目立たなくすることができる。それに対して、ズームバックにより肌色部分の面積比率が小さくなるとスキンＤＴＬ利得を小さくして、ズームバック時における映像の肌色部分の解像度の低下を回避することができる。
また、ズームバック時は、もともと人物の皺や肌荒れが目立たないので、スキンＤＴＬ利得を小さくしても影響がない。
【０００９】
前記スキン・ディテール利得は、例えば、前記比率が増大するに従って直線的又は２次曲線的に増大する。これによって、スキンＤＴＬ利得の直線的な制御又は緩やかな制御ができる。
【発明を実施するための最良の形態】
【００１０】
本発明によるスキン・ディテール回路の実施の形態を、図面を参照して詳細に説明する。
図１は、本発明によるスキン・ディテール回路の実施の形態を示す図である。このスキン・ディテール回路は、入力端子１，２，３と、位相調整回路部４，５，６と、ＤＴＬ信号発生回路部７と、肌色面積検出回路８と、スキンＤＴＬ利得制御部９と、ＤＴＬ信号乗算部１０と、加算器１１，１２，１３と、出力端子１４，１５，１６とを具える。
【００１１】
入力端子１，２，３には、ＣＣＤなどの固体撮像素子から得られるＲ信号、Ｇ信号及びＢ信号がそれぞれ入力される。位相調整回路部４，５，６は、ＤＴＬ信号発生回路部７、肌色面積検出回路８、スキンＤＴＬ利得制御部９及びＤＴＬ信号乗算部１０の処理時間に応じた遅延を行う。
【００１２】
ＤＴＬ信号発生回路７は、端子１，２，３からＲ信号、Ｇ信号及びＢ信号がそれぞれ入力され、微分操作などによりＲ信号、Ｇ信号及びＢ信号から輪郭強調信号を発生して出力する。肌色面積検出回路８は、端子１，２，３にそれぞれ入力されたＲ信号、Ｇ信号及びＢ信号から肌色部分を１画素単位又は複数画素単位でカウントし、そのカウント数から肌色面積を検出して、スキンＤＴＬ利得制御部９に対しては肌色面積に関する信号を出力し、ＤＴＬ信号乗算部１０に対しては肌色部分であるか否かの信号を出力する。
【００１３】
人間の顔付近の画像を示す場合、顔及び首の部分の面積が肌色面積となり、図２に示すようなズームアップ時の肌色面積は、図３に示すようなズームバック時の肌色面積に比べて大きくなる。
【００１４】
スキンＤＴＬ利得制御部９は、肌色面積検出回路８によってカウントされた画素数と１画面（１フィールド又は１フレーム）の画素数との比率を算出する。このように算出された比率は、肌色部分の面積比率となる。
【００１５】
肌色部分の面積比率に対するスキンＤＴＬ利得係数を、利得特性に基づいて算出する。利得特性を、例えば、図４に示すような直線的なもの又は図５に示すような２次曲線的なものとすることができる。なお、スキンＤＴＬ利得係数の算出を、ＲＯＭなどのメモリ素子で行うことができ、累乗関数の他に、ルックアップ・テーブルなどを用いて、更に細かい利得特性が設定できる。
【００１６】
ＤＴＬ信号乗算部１０は、肌色面積検出回路８からの肌色部分であるか否かの信号及びスキンＤＴＬ利得制御部９からのスキンＤＴＬ利得係数に基づいて、ＤＴＬ信号発生回路部７からの輪郭強調信号の利得を制御し、輪郭強調信号の肌色部分のＤＴＬ量を減少させて出力する。
【００１７】
加算器１１，１２，１３は、位相調整されたＲ信号、Ｇ信号及びＢ信号と、スキンＤＴＬ制御された輪郭強調信号との加算をそれぞれ行う。出力端子１４，１５，１６は、輪郭強調された映像信号をそれぞれ出力する。
【００１８】
図２に示すようなズームアップ時には、ズームアップにより肌色部分の面積比率が大きくなるので、皺、肌荒れ、黒子等を目立たなくするために、スキンＤＴＬ量すなわちスキンＤＴＬ利得を大きくする。それに対して、図３に示すようなズームバック時には、ズームバックにより肌色部分の面積比率が小さくなるので、解像度をよくするためにスキンＤＴＬ量すなわちスキンＤＴＬ利得を小さくする。これによって、ズームバック時における映像の肌色部分の解像度の低下を回避することができる。
【００１９】
本発明は、上記実施の形態に限定されるものではなく、幾多の変更及び変形が可能である。
例えば、図４又は図５に示す利得特性以外の折れ線利得特性などを用いてスキンＤＴＬ利得係数を設定することによって、スキンＤＴＬ利得係数を更に細かく設定することができる。
【図面の簡単な説明】
【００２０】
【図１】本発明によるスキン・ディテール回路の実施の形態を示す図である。
【図２】ズームアップの画像を示す図である。
【図３】ズームバックの画像を示す図である。
【図４】利得特性の一例を示す図である。
【図５】利得特性の他の例を示す図である。
【符号の説明】
【００２１】
１，２，３  入力端子
４，５，６  位相調整回路部
７  ＤＴＬ信号発生回路部
８  肌色面積検出回路
９  スキンＤＴＬ利得制御部
１０  ＤＴＬ信号乗算部
１１，１２，１３  加算器
１４，１５，１６  出力端子
【図１】
2006166337.tif 000003
【図２】
2006166337.tif 000004
【図３】
2006166337.tif 000005
【図４】
2006166337.tif 000006
【図５】
2006166337.tif 000007